(57)【要約】【課題】機器および当該機器を構成する構成品の確認漏れを防ぎ、各保全作業担当に対し的確に作業指示を行えるようにした設備保全管理システムを提供する。【解決手段】パソコンＰなどの端末装置と、ネットワークを介してパソコンＰと接続されるサーバＳと、サーバＳに接続されたデータベースとからなり、サーバＳがデータベースの情報の閲覧をパソコンＰに対して提供するとともに、データベースには機器の保全管理区分と、当該機器を構成する構成品の保全管理区分が機器毎に関連付けられて記録される。【選択図】図２
2014106822.tif 000002
【特許請求の範囲】
【請求項１】
端末装置と、ネットワークを介して前記端末装置と接続されるサーバと、該サーバに接続されたデータベースとからなり、前記サーバが前記データベースの情報の閲覧を前記端末装置に対して提供する設備を保全管理するシステムであって、
前記データベースには、前記設備における機器の機器データ内に、該機器の保全管理区分と、該機器を構成する構成品の保全管理区分と、が記録されていることを特徴とする設備保全管理システム。
【請求項２】
前記サーバは、前記データベース内の機器データを指定した条件で検索可能であり、該検索時には前記端末装置の操作により、前記機器の保全管理区分とともに前記構成品の保全管理区分を前記条件として指定可能であることを特徴とする請求項１記載の設備保全管理システム。
【請求項３】
前記サーバは、前記機器を構成する構成品のうち少なくとも一つの構成品が前記機器とは異なる保全管理区分である場合、異なる保全管理区分である構成品を含むことを示す値を、前記機器の情報に付加するとともに前記データベース内の情報を検索する際の条件とすることが可能であることを特徴とする請求項１または２に記載の設備保全管理システム。
【請求項４】
前記サーバは、前記検索により割り出された前記機器の情報を前記端末装置に表示可能であり、前記機器を構成する構成品に前記機器とは異なる保全管理区分である構成品が含まれている場合、前記機器の情報とともに前記構成品の保全管理区分および種別を表示することを特徴とする請求項１ないし３のいずれかに記載の設備保全管理システム。
【発明の詳細な説明】
【技術分野】
【０００１】
本発明は、プラント等の設備保全管理システムに関する。
【背景技術】
【０００２】
従来、例えば上下水道等のプラントの設備においては、電気計装設備や機械設備等、水処理を行うための多種多様な機器が設置されており、これらの機器は、機械・建築機械・電気等の複数の区分に分類されて台帳に管理されるのが一般的である。しかし同一施設、同一設備に同一区分の機器が複数設置されている場合、台帳上では機器の区分だけでは機器を特定することができない場合がある。そこで、プラント内に設置されている設備機器を、機器が設置される施設で分類する施設区分と、機器が製造される業種で分類する管理区分と、機器が設置される処理設備で分類する設備区分と、機器をその種類で分類し、かつ少なくとも用途分類と系列分類と号機分類とで構成される機器区分と、により分類しデータとして格納することで、細分化された機器の区分により自動的に該当する機器を一意に特定することができるようにしたものがある（例えば、特許文献１参照）。
【先行技術文献】
【特許文献】
【０００３】
【特許文献１】特開２０００−２０５５００号公報（第３−４頁、第１図）
【発明の概要】
【発明が解決しようとする課題】
【０００４】
しかしながら、機器は多種多様な構成品により構成されており、これらの構成品の中に機器全体における機械・建築機械・電気等の区分とは異なる構成品が含まれている場合があり、かつこれら機器及び構成品は各区分によって定期点検時等の保全作業担当が異なる場合がある。
【０００５】
そのため、このような場合に従来技術においては、機器が細かく区分されて管理されていることから、同一施設の同一設備に同一区分の機器が複数設置されている場合であっても任意の機器を割り出すことはできるものの、機器および当該機器を構成する構成品の各保全管理区分情報を機器に関連付けて提供する機能は有していないため、機器の保全作業時において、機器の保全管理区分とは異なる構成品の保全作業担当へ的確に作業指示がなされない場合が起こりえる虞があった。
【０００６】
本発明は、このような問題点に着目してなされたもので、機器および当該機器を構成する構成品の確認漏れを防ぎ、各保全作業担当に対し的確に作業指示を行えるようにした設備保全管理システムを提供することを目的とする。
【課題を解決するための手段】
【０００７】
前記課題を解決するために、本発明の設備保全管理システムは、
端末装置と、ネットワークを介して前記端末装置と接続されるサーバと、該サーバに接続されたデータベースとからなり、前記サーバが前記データベースの情報の閲覧を前記端末装置に対して提供する設備を保全管理するシステムであって、
前記データベースには、前記設備における機器の機器データ内に、該機器の保全管理区分と、該機器を構成する構成品の保全管理区分と、が記録されていることを特徴としている。
この特徴によれば、機器を構成する構成品が当該機器の機器データ内に記録されているため、機器および当該機器を構成する構成品の保全管理区分情報を端末装置に対して一度に提供可能であり、当該機器の保全作業時において機器の保全管理区分とは異なる保全管理区分に分類された構成品の確認漏れを防ぐとともに、機器および構成品の保全管理を行う各保全作業担当へそれぞれ的確に指示を行うことができる。
【０００８】
前記サーバは、前記データベース内の機器データを指定した条件で検索可能であり、該検索時には前記端末装置の操作により、前記機器の保全管理区分とともに前記構成品の保全管理区分を前記条件として指定可能であることを特徴としている。
この特徴によれば、データベースには機器を構成する構成品が機器毎にそれぞれ関連付けられて記録されており、設備保全管理システムは、検索時において機器の保全管理区分とともに構成品の保全管理区分を指定可能であるため、前記機器に異なる保全管理区分である構成品が含まれている場合、この構成品の保全管理区分を検索の条件に追加することで検索結果の絞込みを行うことができ、任意の機器の割り出しが簡便である。
【０００９】
前記サーバは、前記機器を構成する構成品のうち少なくとも一つの構成品が前記機器とは異なる保全管理区分である場合、異なる保全管理区分である構成品を含むことを示す値を、前記機器の情報に付加するとともに前記データベース内の情報を検索する際の条件とすることが可能であることを特徴としている。
この特徴によれば、データベース内の情報を検索する際に、異なる保全管理区分である構成品を含むことを示す値の有無を条件として指定することで、それぞれの検索結果を区別できるため任意の機器の割り出しが簡便である。
【００１０】
前記サーバは、前記検索により割り出された前記機器の情報を前記端末装置に表示可能であり、前記機器を構成する構成品に前記機器とは異なる保全管理区分である構成品が含まれている場合、前記機器の情報とともに前記構成品の保全管理区分および種別を表示することを特徴としている。
この特徴によれば、保全作業は保全管理区分によって専門の担当が作業を行うことから、端末装置に検索により割り出された機器の情報とともに、機器とは異なる保全管理区分である構成品の保全管理区分と種別が表示されることで機器の保全管理区分とは異なる構成品の確認漏れを防ぐとともに、各担当への保全作業指示を的確に行うことができる。
【図面の簡単な説明】
【００１１】
【図１】実施例における設備保全管理システムを示す図である。
【図２】機器情報画面を示す図である。
【図３】機器情報の登録処理における管理システムの挙動を示すフロー図である。
【図４】検索画面を示す図である。
【図５】同じく複数の検索条件を指定した検索画面を示す図である。
【発明を実施するための形態】
【００１２】
本発明に係る設備保全管理システムを実施するための形態を実施例に基づいて以下に説明する。
【実施例】
【００１３】
実施例に係る設備保全管理システムにつき、図１から図４を参照して説明する。図１の符号１は、下水道設備に設置される機器の保全管理を行うための設備保全管理システム（以下、「管理システム」という。）である。
【００１４】
図１に示されるように、管理システム１は、ネットワークに接続された、主に機器保全に用いる情報が記録されるデータベース２を備えた中央管理サーバＳ（以下サーバＳという）と、複数のパソコンＰ，Ｐ，…と、により構成されている。パソコンＰ（端末）は、ネットワークを介してサーバＳとの間でデータのやり取りを行う他、入力手段としてのキーボード３と、表示部としてディスプレイ４を、それぞれ有している。尚、パソコンＰは、少なくとも１台以上用意されていればよく、更にアプリケーションをインストールした端末は、パソコンに限らずスマートフォンやタブレットＰＣなどであってもよい。
【００１５】
管理システム１で管理を行う下水道設備の機器は多種多様であり、その構造や製造工程等の違いによって分野が異なることから定年点検などの保全作業には分野ごとに異なる専門知識が必要となるため、各機器を分野ごとに保全管理区分を分類して、その保全管理区分ごとに担当業者に作業を振り分ける。後に詳述するが、この機器の保全管理区分を各機器情報に付加することで、機器の保全管理区分を基に機器を検索して任意の機器を割り出すことができるようになっている。
【００１６】
また、機器は複数の構成品が組み合って１つの機能を発揮できる装置であるため、機器の種類や設置場所によっては、機器を構成する構成品の内に、機器自体の保全管理区分とは異なる保全管理区分である構成品が含まれている場合がある。例えば、沈砂池の浸水防止や工事のため、流入下水を止水するゲートである阻水扉を例に取ると、阻水扉自体の保全管理区分は「機械」であるが、阻水扉の開き具合を計測して数値を管理機器に送信する、開度計発信器の保全管理区分は「電気（計装）」である。
【００１７】
このため本実施例における管理システム１は、後に詳述するが、前記各機器情報に構成品の保全管理区分の情報を付加して、機器の検索の際に構成品の保全管理区分も検索の条件として利用可能としている。
【００１８】
データベース２（図１参照）には、「機器名称」，「機番」，「保全管理区分」，「場所分類」，「機器分類」等の機器データが記録されており、図２に示されるように、ディスプレイ４（図１参照）に機器情報画面５として表示可能である。尚、これら機器名称５ａ，機番５ｂ，保全管理区分５ｃ，場所分類５ｄ，機器分類５ｅ等の機器データは、それぞれを前述した検索時における条件として指定可能である。
【００１９】
これらの機器データは図示しない機器データ入力画面にて入力及び編集できるようになっており、同時に機器を構成する構成品の保全管理区分および機能名称・種別の入力を行い、データベース２内に機器データとして記録する。尚、機器名称５ａ，機器分類５ｅ等一部の内容は機器情報画面５上でも編集を行うことが可能である。
【００２０】
また機器は仕様を基に細かに分類されてデータベース２（図１参照）に記録されおり、機器データ入力画面（図示せず）もしくは機器情報画面５（図２参照）上に表示される機器分類中の「大分類」，「中分類」，「小分類」の右側に表示される矢印１００をそれぞれ押下することで、すべての大分類，中分類，小分類がドロップダウン表示されるようになっている。そして、これのドロップダウンリストより任意の機器の分類をそれぞれ選択することで、詳細な機器情報をデータベース内に機器データとして記録することが可能である。尚、「設置区分」を大分類として「機器仕様」まで順に詳細な区分となっている。
【００２１】
続いて、機器データの登録処理における管理システム１の挙動を図３のフローチャートを用いて説明する。まず、管理システム１の利用者は上述したように機器データ入力画面（図示せず）にて機器名称５ａ，機番５ｂ，保全管理区分５ｃ，場所分類５ｄ，機器分類５ｅ等の機器データを入力し、図示しない登録ボタンを押下する。
【００２２】
管理システム１は、ステップＳ０１にて、登録ボタンが押下されたか否かを確認し、押下が行われた場合、機器の保全管理区分５ｃと当該機器を構成する構成品の保全管理区分（図２に示される機器情報画面５上においては５０ａ）とを比較する比較工程（ステップＳ０２）に移行する。尚、管理システム１は、ステップＳ０１における登録ボタンの押下が行われるまでステップＳ０１にループして待機状態となる。
【００２３】
ステップＳ０２は、機器の保全管理区分５ｃと構成品の保全管理区分５０ａとが異なるか否かを確認し、異なる場合はステップＳ０３に移り、機器内に保全管理区分の異なる構成品が存在することを示す値を前記機器データに付加する。尚、この“異なる構成品が存在することを示す値”とは、機器情報画面５においては、機器情報画面に「構成品の保全管理区分横断」のチェックボックス５０ｃにチェック５００が入ることで表現される。
【００２４】
尚、ステップＳ０２において、機器と構成品の保全管理区分が共通である場合、ステップＳ０４に移り、管理システム１は、構成品の保全管理区分およびその機能名称・種別を含む前記各機器データをデータベース２内に記録して機器データの登録処理を終了する。
【００２５】
また管理システム１は、ステップＳ０３の動作とともに、データベース２内に構成品の保全管理区分および機能名称・種別を記録して機器データの登録処理を終了する。さらに機器情報画面３においては、構成品の保全管理区分５０ａに当該を表示し、さらに構成品の機能名称・種別５０ｂに該当する機能名称・種別を表示するようになっている。
【００２６】
続いて、例えば定期点検時の機器の保全作業を行う場合における任意の機器の割り出し方法を図４および図５を用いて説明する。
【００２７】
機器の割り出しを行う場合、まず図４に示される検索画面６を起動する。検索画面６は、場所分類選択７と機器分類選択８、さらに機器の保全管理区分選択９と構成品の保全管理区分選択１０および構成品の機能名称・種別選択１１とを備えており、それぞれ任意に選択することで検索結果の絞り込みが可能となっており、絞り込まれた機器データが検索結果１２に表示される。尚、上記以外にキーワード検索部１３を備え、機器データに含まれる語彙を指定して検索結果の絞り込みを行うこともできる他、機番検索部１５に任意の機器の機番を入力して機器を特定することもできる。
【００２８】
場所分類選択７は、機器の設置場所（例えば△△センター等）を選択することで検索結果の絞り込みが可能である。また、機器分類選択８は、前記機器情報画面５（図２参照）で選択した大分類（例えば沈砂池設備），中分類（例えばゲート設備），小分類（例えば阻水扉）を大分類から順に選択することで検索結果を絞り込むことができる。尚、これら機器の設置場所や分類が不明な場合は、「（すべて）」７０，８０を選択状態にして場所分類選択７および機器分類選択８のよる検索結果の絞込みを行わず、他の検索条件で任意の機器を割り出す。
【００２９】
図５に示されるように、機器の保全管理区分選択９は、データベース２に記録されている全ての保全管理区分がドロップダウンリストとして選択可能となっており、任意の機器の保全管理区分を選択することで検索結果を絞り込むことができる。尚、機器を構成する構成品は全て当該機器と同様の保全管理区分である場合が機器の多くを占めるため、通常状態では機器と同様の保全管理区分である機器が検索対象となっている。
【００３０】
そのため、機器を構成する構成品に当該機器の保全管理区分とは異なる構成品が含まれていることが予め確認できている場合には、「構成品が保全管理区分を横断する機器を含める」チェックボックス１４にチェック１４０を入れることで、機器を構成する構成品に当該機器の保全管理区分とは異なる構成品が含まれている機器を検索範囲に含めるようになっている。
【００３１】
構成品の保全管理区分選択１０にはデータベースに記録されている全ての保全管理区分がドロップダウンリストとして選択可能となっており、前記「構成品が保全管理区分を横断する機器を含める」チェックボックス１４にチェック１４０を入れるとともに、構成品の保全管理区分１０のドロップダウンリストより構成品の保全管理区分を選択することで、機器と異なる保全管理区分である構成品を含むという条件を検索条件に追加するとともに、その構成品が選択した保全管理区分であるという条件を追加して絞込みを行うことができる。
【００３２】
さらに、構成品の機能名称・種類選択１１にはデータベースに記録されている全ての構成品の機能名称・種類がドロップダウンリストとして選択可能となっており、ドロップダウンリストより任意の機能名称・種類を選択することで検索結果の絞込みを行える。
【００３３】
このように管理システム１は、上述した検索条件を１つもしくは複数組み合わせることでデータベース２内に記録された膨大な種類の機器から任意の機器を迅速に割り出すことができる。尚、検索条件を追加する毎に検索結果１２に表示される機器リストが更新され、利用者は最終的に１つに絞り込んで任意の機器を特定しても良いし、機器分類等の部分的な機器の情報が確認できている場合、最終的に絞り込まれた数件の検索結果から任意の機器を選択しても良い。
【００３４】
以上説明したように、本発明の管理システム１は、パソコンＰなどの端末装置と、ネットワークを介してパソコンＰと接続されるサーバＳと、サーバＳに接続されたデータベースとからなり、サーバＳがデータベースの情報の閲覧をパソコンＰに対して提供するとともに、データベースには機器を構成する構成品が機器毎に関連付けられて記録されるため、機器および当該機器を構成する構成品の保全管理区分情報をパソコンＰに対して一度に提供可能であり、当該機器の保全作業時において機器とは異なる保全管理区分に分類された構成品の確認漏れを防ぐとともに、機器および構成品の保全管理を行う各保全作業担当へそれぞれ的確に指示を行うことができる。
【００３５】
以上、本発明の実施例を図面により説明してきたが、具体的な構成はこれら実施例に限られるものではなく、本発明の要旨を逸脱しない範囲における変更や追加があっても本発明に含まれる。
【００３６】
例えば、前記実施例において通常は、機器と同様の保全管理区分である機器のみが検索対象とし、機器を構成する構成品に当該機器の保全管理区分とは異なる構成品が含まれていることが予め確認できている場合に「構成品が管理区分を横断する機器を含める」チェックボックスにチェックを入れることで、機器を構成する構成品に当該機器の保全管理区分とは異なる構成品が含まれている機器を検索範囲に含めることができるようになっているが、これに限らず、例えば「構成品が管理区分を横断する機器のみを検索する」等のチェックボックスを作成して、このチェックボックスにチェックを入れることで、機器を構成する構成品に当該機器の保全管理区分とは異なる構成品が含まれている機器のみを検索範囲として検索結果を絞込むようにしてもよい。
【００３７】
また、検索画面６における「機器の保全管理区分選択」，「構成品の保全管理区分選択」および「構成品の機能名称・種類選択」は、すべてドロップダウンリストから選択するようになっているが、この限りでなく、語彙を入力するキーワード検索であってもよい。さらに、他の検索結果の絞込みにより該当しなくなった“機器の保全管理区分”，“構成品の保全管理区分”および“構成品の機能名称・種類”を非表示としてもよく、これによれば、検索結果が絞り込まれた様子を可視化して、任意の機器の割り出しを速やかに行うことができる。
【符号の説明】
【００３８】
１                設備保全管理システム
２                データベース
３                キーボード
４                ディスプレイ
５                機器情報画面
５ａ              機器名称
５ｂ              機番
５ｃ              機器保全管理区分
５ｄ              場所分類
５ｅ              機器分類
６                検索画面
７                場所分類選択
８                機器分類選択
９                機器保全管理区分選択
１０              構成品保全管理区分選択
１１              構成品機能名称・種別選択
１２              検索結果
１３              キーワード検索部
１４              チェックボックス
５０ａ            構成品保全管理区分
５０ａ            構成品の機能名称・種別
５０ｃ            チェックボックス
７０              場所分類選択（すべて）
８０              機器分類選択（すべて）
１００            矢印
１４０，５００    チェック
Ｐ                パソコン
Ｓ                中央管理サーバ
【図１】
2014106822.tif 000003
【図２】
2014106822.tif 000004
【図３】
2014106822.tif 000005
【図４】
2014106822.tif 000006
【図５】
2014106822.tif 000007